(57)【要約】【課題】  解決しようとする課題は、樹脂製の郵便葉書を用いることにより、郵便葉書として通信利用後、一例とし、通信システムなどへの情報提供を行なえる端末ツールとして再利用可能な郵便葉書を受信者側に提供することである。また、封書に対する郵便葉書の通信コストに鑑み、多目的に利用可能な樹脂製の郵便葉書を提供する。【解決手段】  本発明は、葉書の通信本体部に樹脂を用い、少なくても郵便の消印面や情報記載面を紙質に仕上げられた郵便葉書として構成することを特色とする。【選択図】  図７
2005335239.tif 000002
【特許請求の範囲】
【請求項１】
郵便葉書と表示された本体片（２）と該本体片（２）の一辺と折目（３）を介して連接した裏体片（４）とからなる本体片（２）の裏面（５）とその面に対向する該裏体片（４）の裏面（６）が全面密着して合わさるように構成され、本体片（２）、及び、裏体片（４）の各端部（７）に開閉用凹凸機構（８）が設けられ該開閉用凹凸機構（８）を用いて開閉されるように構成されて成る、表面を紙質でコーティングされたことを特徴とする樹脂製の郵便葉書。
【請求項２】
請求項１の記載において、  
本体片（２）の一辺と折目（３）を介して連接した宛名体片（９）とからなり、該宛名体片（９）の一部面が下部表面が透けて見える透明面（１５）、若しくは、切り欠きが形成され、本体片（２）の表面（１４）と宛名体片（１２）の裏面（１３）の面間が、全面密着して合わさるように構成され、本体片（２）、及び、宛名体片（１２）の端部（７）に開閉用凹凸機構（８）が設けられ、該開閉用凹凸機構（８）を用いて開閉されるように構成されて成る、表面を紙質でコーティングされたことを特徴とする樹脂製の郵便葉書。
【請求項３】
請求項１乃至請求項２の記載において、
裏体片（４）、或いは、本体片（２）の各体片面内に収まる適宜な大きさのブロック片（１０）を設け、該ブロック片（１０）が、各体片より切離できるように不連続の切離溝（１１）の切込みが構成されて成る、表面を紙質でコーティングされたことを特徴とする樹脂製の郵便葉書。
【請求項４】
請求項１乃至請求項３の記載において、
端部（７）の開閉用凹凸機構（８）に代わり、本体片（２）の裏面（５）とその面に対向する裏体片（４）の裏面（６）と、或いは、本体片（２）の表面（１４）と宛名体片（９）の裏面（１３）との裏面間が、全面密着して合わさるように、一方の面に再剥離可能な弱粘着剤（１２）が設けられて、開閉されるように構成されて成る、表面を紙質でコーティングされたことを特徴とする樹脂製の郵便葉書。
【請求項５】
請求項１乃至請求項３の記載において、
端部（７）の開閉用凹凸機構（８）に代わり、該端部（７）に開閉用磁石機構（１６）が設けられ、該開閉用磁石機構（１６）を用いて開閉されるように構成されて成る、表面を紙質でコーティングされたことを特徴とする樹脂製の郵便葉書。
【請求項６】
郵便葉書と表示された本体片（２）、或いは、裏体片（４）、或いは、宛名体片（９）の各体片面の外端より内側近傍に凹部（１７）を設け、該凹部（１７）の開口部に対する底面に弱粘着剤（１２）が施されて成る、表面を紙質でコーティングされたことを特徴とする樹脂製の郵便葉書。
【請求項７】
郵便葉書と表示された本体片（２）、或いは、裏体片（４）、或いは、宛名体片（９）の各体片面内に収まる適宜な大きさの、造形物やカード、或いは磁気記録
（１８）や電子チップ（１９）やプリント基盤（２０）が、各体片中に嵌入成型、若しくは、各体片面表層に一体成型にして形成されて成る、表面を紙質でコーティングされたことを特徴とする樹脂製の郵便葉書。
【請求項８】
郵便葉書と表示された本体片（２）、或いは、裏体片（４）、或いは、宛名体片（９）の各体片面内に収まる適宜な大きさの支柱片（２３）を設け、該支柱片
（２３）が各体片より、切離される構成、若しくは、少なくと１部分を残して、切離される構成の不連続の切離溝（１１）の切込みが構成されて成る、表面を紙質でコーティングされたことを特徴とする樹脂製の郵便葉書。
【請求項９】
請求項１乃至請求項８の記載において、
郵便葉書として用いる表示された本体片（２）、若しくは宛名体片（９）の切手が貼付される部位近傍に貼付用ブロック片（２４）を設け、本体片（２）、若しくは宛名体片
（９）より切離できるように不連続の切離溝（１１）の切込みが構成されて成る、表面を紙質でコーティングされたことを特徴とする樹脂製の郵便葉書。
【請求項１０】
請求項１乃至請求項９の記載において、
郵便葉書として用いる表示された本体片（２）、或いは、裏体片（４）、及び、宛名体片（９）が、紙質としての特性も有して成る樹脂合成により形成されていることを特徴とする樹脂製の郵便葉書。
【発明の詳細な説明】
【技術分野】
【０００１】
本発明は、表面を紙質でコーティングされる、若しくは、樹脂合成された紙質としての特性も有して成る樹脂製の郵便葉書に関する。
【背景技術】
【０００２】
従来より本発明のような樹脂やプラスチックを用いた葉書は、特許公開平１１−１２９６５４など、Ｖ折葉書、若しくは、Ｚ折葉書として公知されるダイレクトメールや銀行口座の通知、或いは、クレジットの決済通知などの通信手段に用いられている葉書が有り、これは、プラスチック、若しくは、樹脂を用いて、葉書の情報記載面同士を圧着して、１枚の葉書として構成する手段として用いられているものが、多くあった。
【０００３】
しかし、葉書本体の主たるものを単に樹脂を用いている登録実用新案第３０４１５６７号などもあるが、本発明に係る多様な用途に使用できる工夫をされた郵便葉書として実用化されたものは無かった。
【発明の開示】
【発明が解決しようとする課題】
【０００４】
解決しようとする課題は、樹脂製の郵便葉書を用いることにより、郵便葉書として通信利用後、ＩＴ活用の一環として、通信システムなどへの情報提供を行なえる端末ツールとして再利用可能な郵便葉書を受信者側に提供することである。また、封書に対する郵便葉書の通信コストに鑑み、多目的に利用可能な樹脂製の郵便葉書を提供する。
【課題を解決するための手段】
【０００５】
本発明は、葉書の通信本体部に樹脂を用い、少なくても郵便の消印面や情報記載面を紙質に仕上げられた郵便葉書として構成することを特色とする。
【０００６】
本発明を実現させる請求項１は、郵便葉書の表面を紙質でコーティングした樹脂製の郵便葉書において、本体片と折目を介して連接した裏体片を形成してＶ折葉書とする。更に、本体片、及び、裏体片の各端部に開閉用凹凸機構を設け、その開閉用凹凸機構を用いて開閉されるように構成を成す。この時、開閉用凹凸には、一対の雄雌嵌合溝やフック機構などを設ける。
【０００７】
次に請求項２は、更に本体片の一辺と折目を介して連接した宛名体片とを併設して、Ｚ折葉書として構成する。更に、宛名体片の一部の下部表面が透けて見える透明面、若しくは、切り欠きに成っており、本体片に表記されている「郵便はがき」と記載された印字が見えるようにする。
また、先のＶ折葉書と同様に体片の各端部に開閉用凹凸機構（８）を設け、自在に開閉されるように構成を成す。
【０００８】
次に請求項３は、本体片、若しくは、裏体片の各体片に収まる適宜な大きさのブロック片を設けると共に、このブロック片は、各体片より切離されるように不連続の切離溝の切込みとが設ける。この時、切離溝の不連続部は、指などで押し込むと破断する程度の不連続巾として構成する。
【０００９】
次に請求項４は、開閉用凹凸機構を用いた本発明による第１乃至第２による開閉方法に替え、各体片の面間を再剥離可能な弱粘着剤を面に施して、本体片と対向する裏体片と、及び、宛名体片との面間が、全面密着して合わさり、再剥離可能な弱粘着剤により、開閉されるように構成する。
【００１０】
次に請求項５は、開閉用凹凸機構を用いた本発明による請求項１乃至請求項２による開閉方法に替え、各体片の端部に再剥離可能な開閉用磁石機構を設け、それを用いて開閉されるように構成する。この開閉用磁石機構は、磁石と磁石の受板と一対として構成する。これにより任意に開閉される。
【００１１】
次に請求項６は、郵便葉書と表示された本体片、或いは、裏体片、或いは、宛名体片の各体片面の外端より内側近傍に、凹部を設け、その底面の内側に弱粘着剤を塗布する。この時、凹部の深さは、凹部に挿入されて利用される挿入物（印刷物やカードなど）の厚みと同等に構成し、凹部に挿入されたそれら対象物が郵送中に脱落しないように構成する。
【００１２】
次に請求項７は、造形物やカード、若しくは磁気記録体や電子チップやプリント基盤が、本発明に係る葉書本体、或いは、裏体片、或いは、宛名体片の各体片面内に収まる適宜な大きさで、各体片中に嵌入成型、若しくは、各体片面表層に一体成型にして形成されて成るように構成する。
このことにより、郵便葉書として郵便利用後、通信システムなどへ情報提供を行なえる端末ツール機能を有する磁気記録体や電子チップやプリント基盤などを保持した樹脂製の郵便葉書として提供され得る。
【００１３】
次に請求項８は、本発明の郵便葉書本体片、或いは裏体片、或いは宛名体片の各体片面内に収まる適宜な大きさの支柱片を設け、該支柱片が各体片面より、切離される構成、若しくは、少なくと１部を残して、切離される構成の不連続の切離溝の切込みを設けて構成される。
この支柱片は、指などで押し込むと破断する程度の不連続巾として構成されている切離溝の不連続部により破断し、体片面より、取り外して、支柱片として利用される。或いは、１部を体片に残して切り開かれ、体片を支える支柱として利用される。
【００１４】
次に請求項９は、本発明の郵便葉書の本体片、或いは宛名体片において、切手が貼付される部位近傍に貼付用ブロック片を設け、この貼付ブロック片は、本体片、若しくは宛名体片より切離できるように不連続の切離溝の切込みを設けて構成される。これにより、郵便葉書として通信利用された消印済み切手が、貼付ブロックごと、本体片、若しくは宛名体片より切離でき、使用済み切手回収の手段として利用される。
【００１５】
次に請求項１０は、本発明の郵便葉書の本体片、或いは裏体片、或いは宛名体片において、表面を紙質でコーティングした樹脂製の郵便葉書の替わりに紙質の特性を有した樹脂合成された郵便葉書を用いても本発明の目的を達しえる。
【発明の効果】
【００１６】
本発明による表面を紙質でコーティングされる、若しくは、樹脂合成された紙質としての特性も有して成る樹脂製の郵便葉書を葉書本体に用いることにより、従来の紙製葉書では成し得なかった電子タグとの一体化や混入成型、若しくは、郵便葉書の通信利用後の受信者による幾多の利用方法による利便性などにその特性を顕著にするものであり、ＤＭや販促商品としても多用途に活用できる画期的な葉書を提供することが可能で有る。
【発明を実施するための最良の形態】
【００１７】
以下、本発明に係る樹脂製の郵便葉書は、色々な実施形態で実現できるが、本発明の代表的な実施形態について図を基に詳細に説明をする。
本発明による請求項１記載の一実施例を図１を参照して説明する。
樹脂製の郵便葉書１は、郵便葉書と表示された本体片２と該本体片２の一辺と折目３を介して連接した裏体片４とからなり、本体片２の裏面５とその面に対向する裏体片４の裏面６の各体片の端部７に開閉用凹凸機構８を設け、その開閉用凹凸機構８は、一対の雄雌嵌合溝やフック機構などとして構成し、その機構を用いて開閉される。
【００１８】
上記の如く樹脂製の郵便葉書１は、Ｖ折葉書として使用でき、従来公知の樹脂を用いた圧着葉書の如く、圧着を施す専用機器が必要無く、小ロットの使用や個人なども簡便にして少量使用でき、安価なＶ折葉書の提供を可能にする。このことは、本発明に基づくＺ折葉書に於いても、同様な目的を達成する。
【００１９】
次に請求項２記載の一実施例を図２を参照して説明をする。
樹脂製の郵便葉書１は、本体片２と折目３を介して連接した裏体片４と、宛名体片９とを併設して、Ｚ折葉書として構成する。また、本体片２、裏体片４、宛名体片９の各体片の端部７に開閉用凹凸機構８を設け、その開閉用凹凸機構８は、一対の雄雌嵌合溝やフック機構などとして構成し、その機構を用いて開閉される。更に宛名体片の一部面が下部表面が透けて見える透明面１５に成っており、本体片に表記されている「郵便はがき」の記載された印字が見える。
【００２０】
次に請求項３記載の一実施例を図３を参照して説明をする。
郵便葉書と表示された本体片２と折目３を介して連接した裏体片４とからなるＶ折葉書において、裏体片４の体片に収まる適宜な大きさのブロック片１０を設けると共に、このブロック片が裏体片４より切離できるように不連続の切離溝１１の切込みが設けれている。この時、切離溝１１の不連続部は、指などで押し込むと破断する程度の不連続巾として構成すると良い。
この実施例により、封書を用いて送付するしかできなかった「カード」や「ネームプレート」などが、本発明の樹脂製の郵便葉書においてブロック片１０として構成し、それを葉書と一体化することにより郵便葉書として送付可能にした。
【００２１】
次に請求項４記載の一実施例を図４を参照して説明をする。
郵便葉書と表示された本体片２と折目３を介して連接した裏体片４とからなるＶ折葉書において、本体片２と対向する裏体片４との面間が、再剥離可能な弱粘着剤１２を面に施して、全面密着して合わさるように構成する。これは、本体片２と裏体片４が再剥離可能な弱粘着剤により、開閉自在と成る。
これは、本発明に係るＶ折葉書、Ｚ折葉書に於ける葉書記載面どうしの開閉方法の他の一手段として提供されるが、本発明に係る目的を同様に達成する。
【００２２】
次に請求項５記載の一実施例を図５を参照して説明をする。
郵便葉書と表示された本体片２と折目３を介して連接した裏体片４とからなるＶ折葉書において、本体片２と裏体片４の端部７に再剥離可能な開閉用磁石機構１６を設け、それを用いて開閉されるように構成する。この開閉用磁石機構１６は、磁石と磁石の受板と一対として用いるために、郵便葉書の１枚の重量制限６ｇ以内に収める必要が有り、この開閉用磁石機構１６は、樹脂製とする方が好ましい。
【００２３】
次に請求項６記載の一実施例を図６を参照して説明をする。
樹脂製の郵便葉書１の本体片２の体片面の外端より内側近傍に、凹部１７を設け、その底面の内側に弱粘着剤１２を塗布する。この時、凹部の深さは、凹部に挿入されて利用される挿入物（印刷物やカードなど）の厚みと同等に構成し、凹部１７に挿入されたそれら挿入物が、郵送中に脱落しないように構成するのが良い。
【００２４】
上記の如く樹脂製の郵便葉書１は、凹部１７を利用して、従前では封書を用いるしか送付できなかった挿入物、例えば、会員カードや名刺などが、郵便葉書として送付を可能にする。このことにより、案内葉書などのＤＭ葉書に担当者の名刺や招待カードなどが送付でき、有効な郵便通信手段として利用され得る。
【００２５】
次に請求項７記載の一実施例を図７を参照して説明をする。
樹脂製の郵便葉書１の本体片２の本体内に電子チップ１９を嵌入成型、若しくは、磁気記録体１８などを本体片２表層面と一体成型して形成されるように構成する。
上記の樹脂製の郵便葉書を構成することにより、郵便葉書として通信利用後、通信システムなどへの情報提供を行なえる端末ツール機能を有する磁気記録体や電子チップやプリント基盤などを保持した樹脂製の郵便葉書として提供され得る。  
【００２６】
次に請求項８記載の一実施例を図８を参照して説明をする。
本発明の郵便葉書本体片２の体片面内に収まる適宜な大きさの支柱片２３を設け、該支柱片２３が体片面より、少なくと１部を残して、切離される構成の不連続の切離溝１１の切込みを設けて構成されている。
この支柱片２３は、指などで押し込むと破断する程度の不連続巾として構成されている切離溝１１の不連続部により破断し、１部を体片に残して切り開かれ、体片を支える支柱として利用される。この支柱により郵便葉書として通信利用後の受信者は、郵便葉書をフォトスタンドして、簡便に利用できる。
【００２７】
次に請求項９記載の一実施例を図９を参照して説明をする。
請求項９の実施例は、本発明の郵便葉書の本体片２において、切手が貼付される部位近傍に貼付用ブロック片２４を設け、この貼付ブロック片２４は、本体片２より切離できるように不連続の切離溝の切込みを設けて構成される。
このことにより、本郵便葉書の利用者は、郵便切手を貼付用ブロック片２４の枠内に貼付して利用する。次に郵便葉書として通信利用後の受信者は、郵便葉書として通信利用された消印済み切手の貼付ブロック片２４ごと、本体片２より切離でき、使用済み切手回収の手段として、簡便に利用され得る。
【００２８】
次に請求項１０記載の一実施例を図１、図２を参照して説明をする。
請求項１０の実施例は、本発明の郵便葉書の本体片２、或いは裏体片４、或いは宛名体片９において、表面を紙質でコーティングした樹脂製の郵便葉書の替わりに紙質の特性を有した樹脂合成された郵便葉書体を用いても本発明の目的を達しえる。
この紙質の特性を有した樹脂合成された郵便葉書体は、樹脂表層面乃至樹脂合成される全体にその紙質特性を有する製造工法を用いても良く、又は、樹脂に極小微粒子を混入成型してもその目的を得ることができる。
【産業上の利用可能性】
【００２９】
この発明は、樹脂製の郵便葉書を用いることにより、郵便葉書として通信利用後、一例とし、通信システムなどへの情報提供を行なえる端末ツールとして再利用可能な郵便葉書を受信者側に提供することである。また、封書に対する郵便葉書の通信コストに鑑み、多目的に利用可能な樹脂製の郵便葉書を提供するためである。
【図面の簡単な説明】
【００３０】
図１は、請求項１記載の樹脂製の郵便葉書の見開き展開図。
図２は、請求項２記載の樹脂製の郵便葉書の見開き展開図。
図３は、請求項３記載の樹脂製の郵便葉書の見開き展開図。
図４は、請求項４記載の樹脂製の郵便葉書の見開き展開図。
図５は、請求項５記載の樹脂製の郵便葉書の見開き展開図。
図６は、請求項６記載の樹脂製の郵便葉書の断面図。
図７は、請求項７記載の樹脂製の郵便葉書の断面図。
図８は、請求項８記載の樹脂製の郵便葉書の断面図。
図９は、請求項９記載の樹脂製の郵便葉書の見開き展開図。
図１０は、請求項１０記載の樹脂製の郵便葉書の見開き展開図。
【符号の説明】
【００３１】
１  ：  郵便葉書
２  ：  本体片
３  ：  折目
４  ：  裏体片
５  ：  本体片の裏面
６  ：  裏体片の裏面
７  ：  体片の端部
８  ：  開閉用突起機構
９  ：  宛名体片
１０ ：  ブロック片
１１ ：  切離溝
１２ ：  弱粘着剤
１３ ：  宛名体片の裏面
１４ ：  本体片の表面
１５ ：  透明面
１６ ：  磁石機構
１７ ：  凹部
１８ ：  磁気記録
１９ ：  電子チップ
２０ ：  電子基盤
２１ ：  開口部
２２ ：  未密着開閉部
２３ ：  支柱片
２４ ：  貼付グロック片
【図１】
2005335239.tif 000003
【図３】
2005335239.tif 000004
【図４】
2005335239.tif 000005
【図５】
2005335239.tif 000006
【図６】
2005335239.tif 000007
【図７】
2005335239.tif 000008
【図８】
2005335239.tif 000009
【図９】
2005335239.tif 000010
【図２】
2005335239.tif 000011
【手続補正書】
【提出日】平成16年8月30日(2004.8.30)
【手続補正２】
【補正対象書類名】明細書
【補正対象項目名】００３０
【補正方法】変更
【補正の内容】
【００３０】
【図１】請求項１記載の樹脂製の郵便葉書の見開き展開図。
【図２】請求項２記載の樹脂製の郵便葉書の見開き展開図。
【図３】請求項３記載の樹脂製の郵便葉書の見開き展開図。
【図４】請求項４記載の樹脂製の郵便葉書の見開き展開図。
【図５】請求項５記載の樹脂製の郵便葉書の見開き展開図。
【図６】請求項６記載の樹脂製の郵便葉書の断面図。
【図７】請求項７記載の樹脂製の郵便葉書の断面図。
【図８】請求項８記載の樹脂製の郵便葉書の断面図。
【図９】請求項９記載の樹脂製の郵便葉書の見開き展開図。